【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
ネットワークにわたってビデオコンテンツを配信するための方法であって、
第１のデバイス（１５）上にビデオデータを提供することと、
補助データを作成するための情報を含んでいる制御データを、前記第１のデバイス（１５）上で前記ビデオデータと関連付けることと、
前記第１のデバイス（１５）から制御システム（２０）へ前記ビデオデータおよび前記制御データを伝送することと、
修正された補助データを作成するために、前記制御システムで修正された制御データを前記ビデオデータと関連付けることと、
前記ビデオデータ及び前記制御データを前記制御システム（２０）からネットワークにわたって１つ以上の第２のデバイス（２５）にブロードキャストすることと、
前記各第２のデバイス（２５）上で前記補助データをローカルに作成するために前記制御データの読出しに応答して動作可能なメディアプレーヤを前記各第２のデバイス（２５）上に提供することと、
前記メディアプレーヤが前記ビデオデータを再生している間に前記補助データおよび前記修正された補助データを立ち上げることと、
を含む方法。
【請求項２】
前記制御データが、
（ａ）タグによって囲まれる機械実行可能命令、
（ｂ）メタデータ、または
（ｃ）機械可読マークアップ言語
を含む、請求項１に記載の方法。
【請求項３】
前記補助データが、少なくとも１つの表示セグメントまたは複数の表示セグメントを含む、請求項１または２に記載の方法。
【請求項４】
前記メディアプレーヤが、
前記ビデオデータが前記各第２のデバイスにダウンロードされるのに必要なバッファリング時間を求めるために計算を行う、または
前記ビデオデータが前記各第２のデバイス（２５）にダウンロードされるのに必要なバッファリング時間を求めるために計算を行い、前記計算されたバッファリング時間が、前記各第２のデバイス（２５）によって受信される前記制御データに組み込まれる、
請求項３に記載の方法。
【請求項５】
前記ビデオデータが、少なくとも１つのビデオセクションを含む、請求項４に記載の方法。
【請求項６】
前記制御データが、前記少なくとも１つの表示セグメントが前記少なくとも１つのビデオセクションに関してどのようにして表示されるかを詳述する機械可読命令を含む、または
前記制御データが、複数の表示セグメントが複数のビデオセクションに関してどのようにして表示されるかを詳述する機械可読命令を含む、
請求項５に記載の方法。
【請求項７】
前記少なくとも１つの表示セグメントを表示する期間が、
（ａ）前記制御データに組み込まれる前記バッファリング時間によって決まる、
（ｂ）前記制御データに組み込まれる前記バッファリング時間に比例する、または
（ｃ）前記少なくとも１つの表示セグメント及び前記少なくとも１つのビデオセクションが時間遅延中断なしに順次に表示されるように、前記制御データに組み込まれる前記バッファリング時間と関連付けられる、
請求項６に記載の方法。
【請求項８】
複数の表示セグメントを表示する組み合わされた期間が、前記バッファリング時間によって設定される、
前記少なくとも１つの表示セグメントを表示する期間が、前記計算されたバッファリング時間に応じて変更される、または
前記２つ以上の表示セグメントを表示する期間が、前記計算されたバッファリング時間に応じて変更される、
請求項６に記載の方法。
【請求項９】
前記各第２のデバイス上の前記メディアプレーヤが、
ローカル又はリモートの場所からデータを取り出すためにフェッチプロセスを開始するべく前記制御データの読出しに応答して動作可能である、または
ローカル又はリモートの場所からデータを取り出すためにフェッチプロセスを開始するべく前記制御データの読出しに応答して動作可能であって、
前記制御データを記憶するために前記第１のデバイス上に第１のデータベースが提供される、かつ／または
前記制御データで参照されるデータ要素を記憶するために前記各第２のデバイス上に第２のデータベースが提供される、
請求項１〜８のいずれか一項に記載の方法。
【請求項１０】
前記制御データが、
前記各第２のデバイス（２５）上の前記メディアプレーヤで前記ビデオデータが再生されているときに前記ビデオデータに少なくとも１つの指定のエフェクト、グラフィック、テキストデータ、特殊エフェクト、又は音声データを適用するための命令を含む、
前記ビデオデータと関連付けられ、前記第１のデバイス（１５）上の前記ビデオデータと同期される、または、
前記ビデオデータと関連付けられ、前記第１のデバイス（１５）からの同期されたビデオデータと共に前記第２のデバイス（２５）上の前記ビデオデータと同期される、
請求項１〜９のうちのいずれか一項に記載の方法。
【請求項１１】
前記第１のデバイス上でデータ構造が生成され、
前記第１のデバイスは、
前記ビデオデータ及び関連する制御データを含む、または、
前記ビデオデータ及び関連する制御データを含み、かつ前記第１のデバイス（１５）が、前記データ構造を前記制御システム（２０）に伝送するように構成される、または、
前記ビデオデータ及び関連する制御データを含み、かつ前記第１のデバイス（１５）が、前記データ構造を前記制御システム（２０）へ伝送するように構成され、かつ前記制御システム（２０）が、前記データ構造を前記１つ以上の第２のデバイス（２５）に通信するように構成される、または
前記ビデオデータ及び関連する制御データを含み、かつ前記第１のデバイス（１５）が、前記データ構造を前記制御システム（２０）に伝送するように構成され、かつ前記制御システム（２０）が、前記ビデオデータと関連付けられる前記制御データを修正するように動作可能である、
請求項１〜１０のいずれか一項に記載の方法。
【請求項１２】
前記制御データが、
検索エンジンによる検索を容易にするための１つ以上のタグを含む、および／または
対応するエフェクトを表す複数の制御パラメータを含む、および／または
対応するエフェクトを表す複数の制御パラメータを含み、かつ前記制御パラメータのうちの１つ以上が、前記第１のデバイス上で選択可能である、
請求項１〜１１のいずれか一項に記載の方法。
【請求項１３】
前記制御システム（２０）が、
各第２のデバイスにユーザプロフィールを提供するように構成される、
各第２のデバイスにユーザプロフィールを提供するように提供され、かつ前記制御システムが、前記ユーザプロフィールに基づいて特定の第２のデバイスに送達するために前記ビデオデータと関連付けられる前記制御データを修正するように動作可能である、
請求項１〜１２のいずれか一項に記載の方法。
【請求項１４】
ビデオコンテンツを配信するためのシステムであって、
ビデオデータが提供されている第１のデバイス（１５）と、
前記第１のデバイス（１５）上で動作可能であり、制御データを前記ビデオデータと関連付けるように構成される、第１のアプリケーションであり、前記制御データが、前記ビデオデータがネットワークにわたって１つ以上の第２のデバイス（２５）にブロードキャストされた後で前記ビデオデータと共に提示されるべき補助データを作成するための情報を含んでいる、第１のアプリケーションと、
前記第１のデバイス（１５）からビデオデータ及び関連する制御データを受信するために前記第１のアプリケーションと通信する制御システム（２０）であり、前記制御システム（２０）が、修正された補助データを作成するために、修正された制御データを前記ビデオデータと関連付けるように動作可能な、制御システム（２０）と、
１つ以上の第２のデバイスにブロードキャストする前記ビデオデータおよび前記関連する制御データと、および
前記各第２のデバイス上で補助データおよび修正された補助データを作成するために制御データの読出しに応答して動作可能な前記各第２のデバイス上に提供されるメディアプレーヤであり、前記メディアプレーヤが前記ビデオデータを再生している間に前記補助データおよび前記修正された補助データを立ち上げるように動作可能な、メディアプレーヤと、
を備えるシステム。
【請求項１５】
コンピュータ化されたシステムで実行されるときに前記請求項１〜請求項１３のうちのいずれか一項に記載の方法を実施するエンコードされている機械可読命令を有するデータキャリアを含むコンピュータ可読媒体。
【手続補正２】
【補正対象書類名】明細書
【補正対象項目名】００４８
【補正方法】変更
【補正の内容】
【００４８】
最初に図１を参照すると、個人ユーザがタブレットなどのポータブルハンドヘルドデバイス１５上でビデオを作成し、次いで、ビデオをネットワーク３０を介して制御センター２０（制御システム）に送信し、該ビデオを他のユーザが制御センター２０（制御システム）から自分のタブレット２５又は類似のハンドヘルドデバイスにダウンロードすることができるようにする、ビデオブロードキャストシステム１０が提供される。タブレット１５上でビデオを作成するユーザは、取り込んだビデオにエフェクトなどの補助データを付加することができるが、データがネットワーク３０にわたって伝送されるときに、メタデータの形態のいくつかの制御情報と共に生ビデオデータだけが送信される。タブレット１５上でユーザによって付加される補助データは、例えば、グラフィック、カスタマイズ可能なテキストオーバーレイ、特殊エフェクト、音声などを含んでもよい。ビデオがタブレット２５にダウンロードされるときに、メタデータにリンクされる補助データ／指定のエフェクトが、タブレット２５上でメディアプレーヤによって再作成され、組み立てられ、構築される。指定のエフェクトは、次いで、タブレット２５上でビデオにオーバーレイされて、平面化された単一の高品質のビデオファイルの外観を与える。したがって、指定のエフェクトは、タブレット２５がビデオを制御センター２０（制御システム）からダウンロードした後でビデオに適用されることが分かるであろう。したがって、ユーザが、ビデオブロードキャストシステム１０を使って別の人によって作成されたビデオをダウンロードするときに、ダウンロードされる生ビデオデータは、ビデオをクリエータの意図した特殊エフェクトと共に再生するべくタブレット２５上でメディアプレーヤを制御する、メタデータの形態の適切な制御情報を伴う。このようにして、ネットワーク３０にわたって伝送されるデータの容量が減少する。